(57)【特許請求の範囲】
【請求項１】
一方の面に意思表示が記載されたカードと、
通知情報が記載された通知情報記載片と、
一部の領域が前記通知情報記載片の一部と重なって当該領域にて前記通知情報記載片に貼付され、前記通知情報記載片が貼付された面のそれ以外の領域の全面に、前記意思表示を覆うように前記カードが剥離可能に貼付され、前記通知情報記載片が貼付された領域と前記カードが貼付された領域との境界を中心として前記カードが内側となるように折り畳まれる隠蔽ラベルとを有する意思表示カード。
【請求項２】
一方の面に意思表示が記載されたカードと、通知情報が記載された通知情報記載片と、前記意思表示を覆うように前記カードが剥離可能に貼付される第１の領域及び、前記通知情報記載片が貼付される第２の領域を具備する隠蔽ラベルとを有する意思表示カードを形成するためのカード付き台紙であって、
前記カード及び前記通知情報記載片を分離可能に保持する台紙片を有し、
前記隠蔽ラベルは、前記第２の領域に前記通知情報記載片が貼付された状態で前記第１の領域が前記台紙片に剥離可能に貼付されているカード付き台紙。
【発明の詳細な説明】
【技術分野】
【０００１】
本発明は、健康保険証等のカードの裏面に意思表示が記載されてなる意思表示カード及びこの意思表示カードを形成するためのカード付き台紙に関する。
【背景技術】
【０００２】
臓器の移植に関する法律、いわゆる臓器移植法においては、脳死あるいは心臓が停止した者が自分の臓器を提供する意思を生前に書面で表示している場合、その者の遺族が同意すれば、臓器を摘出することができる旨が規定されている。それに伴い、臓器を提供する意思、あるいは臓器を提供しない意思を表示する臓器提供意思表示カードが普及している。
【０００３】
また、臓器提供意思表示カードの携帯の煩わしさを解消するために、健康保険証等の裏面に臓器提供の意思表示が記載された構成としたカードも利用されている。このように、臓器提供の意思表示を健康保険証等の裏面に記載することにより、臓器提供意思表示カードを新たに携帯する必要がなくなり、携帯の煩わしさを解消することができる。
【０００４】
近年、特許権が消滅した医薬品と成分や規格が同じでありながらも、開発コストがほぼかからない等の理由からその価格が安いジェネリック薬品が注目されており、投薬される際にジェネリック薬品を希望する患者も増えてきている。そのため、上述した臓器提供の意思とともに、ジェネリック薬品を希望する旨を表示したカードを携帯することが考えられている。
【０００５】
ここで、健康保険証の裏面に臓器提供の意思表示欄を設けたカードをポケットに収納可能に構成した技術が、特許文献１に開示されている。この技術においては、健康保険証を送付する際に、その台紙に健康保険証を分離可能に保持するとともに、ポケットを台紙に設けておき、送付先において、台紙から健康保険証とポケットを分離し、意思表示欄に隠蔽ラベルを貼付して健康保険証をポケットに収容するものであり、このような構成とすることにより、臓器提供の意思表示を隠蔽しながら、上述したようなジェネリック薬品を希望する旨を表示したカードもポケットに収納しておくこともできるようになる。
【先行技術文献】
【特許文献】
【０００６】
【特許文献１】特開２０１０−２０８２２７号公報
【発明の概要】
【発明が解決しようとする課題】
【０００７】
しかしながら、上述したように、臓器提供の意思表示が記載された健康保険証等のカードと、ジェネリック薬品を希望する旨等の通知情報が記載されたカードとをポケットに収納することにより、携帯性を向上させるものにおいては、２枚のカードを収納するためのポケットを用意することになるため、製造工程が煩雑になってしまい、また、２枚のカードを収納するために、カードが収納されるスペースにある程度のマージンを設ける必要があるとともに、そのスペースの周囲にポケットを構成する２枚のシートを貼着するスペースを設ける等により、その大きさがカードよりも大きなものとなり、財布等に入れて携帯することができなくなってしまうという問題点がある。
【０００８】
本発明は、上述したような従来の技術が有する問題点に鑑みてなされたものであって、製造工程を煩雑にすることなく、意思表示が記載されたカードと通知情報が記載された通知情報記載片とを、意思表示を隠蔽しながら携帯しやすくすることができる意思表示カード及びカード付き台紙を提供することを目的とする。
【課題を解決するための手段】
【０００９】
上記目的を達成するために本発明は、
一方の面に意思表示が記載されたカードと、
通知情報が記載された通知情報記載片と、
一部の領域が前記通知情報記載片の一部と重なって当該領域にて前記通知情報記載片に貼付され、前記通知情報記載片が貼付された面のそれ以外の領域の全面に、前記意思表示を覆うように前記カードが剥離可能に貼付され、前記通知情報記載片が貼付された領域と前記カードが貼付された領域との境界を中心として前記カードが内側となるように折り畳まれる隠蔽ラベルとを有する。
【００１０】
上記のように構成された本発明においては、一方の面に意思表示が記載されたカードが、意思表示が覆われるように隠蔽ラベルの第１の領域に剥離可能に貼付されるとともに、通知情報が記載された通知情報記載片が隠蔽ラベルの第２の領域に貼付されるので、意思表示が記載されたカードと通知情報が記載された通知情報記載片とが、意思表示を隠蔽するための隠蔽ラベルによって一体化されたものとなり、それにより、意思表示が記載されたカードと通知情報が記載された通知情報記載片とが、ポケット等を別途用意することなく携帯しやすくなり、また、そのために製造工程が煩雑になることがない。意思表示を覆うようにカードに貼付された隠蔽ラベルの第１の領域は、剥離可能にカードに貼付されているので、第１の領域をカードから剥離することにより、カードに記載された意思表示を確認することができる。
【００１１】
また、一方の面に意思表示が記載されたカードと、通知情報が記載された通知情報記載片と、意思表示を覆うようにカードが剥離可能に貼付される第１の領域及び、通知情報記載片が貼付される第２の領域を具備する隠蔽ラベルとを有する意思表示カードを形成するためのカード付き台紙として、カード及び通知情報記載片を分離可能に保持する台紙片を有し、隠蔽ラベルが、第２の領域に通知情報記載片が貼付された状態で第１の領域が台紙片に剥離可能に貼付されているものが考えられ、そのような構成とすることにより、カードと通知情報記載片と隠蔽ラベルとを一体として送付することができる。
【発明の効果】
【００１２】
以上説明したように本発明においては、一方の面に意思表示が記載されたカードが、意思表示が覆われるように隠蔽ラベルの第１の領域に剥離可能に貼付されるとともに、通知情報が記載された通知情報記載片が隠蔽ラベルの第２の領域に貼付されることにより、意思表示が記載されたカードと通知情報が記載された通知情報記載片とが、意思表示を隠蔽するための隠蔽ラベルによって一体化されたものとなるため、製造工程を煩雑にすることなく、意思表示が記載されたカードと通知情報が記載された通知情報記載片とを、意思表示を隠蔽しながら携帯しやすくすることができる。
【００１３】
また、一方の面に意思表示が記載されたカードと、通知情報が記載された通知情報記載片と、意思表示を覆うようにカードが剥離可能に貼付される第１の領域及び、通知情報記載片が貼付される第２の領域を具備する隠蔽ラベルとを有する意思表示カードを形成するためのカード付き台紙として、カード及び通知情報記載片を分離可能に保持する台紙片を有し、隠蔽ラベルが、第２の領域に通知情報記載片が貼付された状態で第１の領域が台紙片に剥離可能に貼付されているものにおいては、カードと通知情報記載片と隠蔽ラベルとを一体として送付することができる。
【図面の簡単な説明】
【００１４】
【図１】本発明のカード付き台紙の実施の一形態を示す図であり、（ａ）は表面図、（ｂ）は（ａ）に示したＡ−Ａ’断面図、（ｃ）は（ａ）に示した健康保険証の裏面を示す図である。
【図２】図１に示したカード付き台紙からの意思表示カードの分離方法を説明するための図である。
【図３】図１に示したカード付き台紙から分離された意思表示カードの使用方法を説明するための図である。
【図４】本発明のカード付き台紙の他の実施の形態を示す図であり、（ａ）は表面図、（ｂ）は（ａ）に示したＡ−Ａ’断面図、（ｃ）は（ａ）に示した健康保険証の裏面を示す図である。
【発明を実施するための形態】
【００１５】
以下に、本発明の実施の形態について図面を参照して説明する。
【００１６】
図１は、本発明のカード付き台紙の実施の一形態を示す図であり、（ａ）は表面図、（ｂ）は（ａ）に示したＡ−Ａ’断面図、（ｃ）は（ａ）に示した健康保険証２０の裏面を示す図である。
【００１７】
本形態は図１に示すように、宛先情報記載欄１１が設けられた台紙片１０に、カードとなる健康保険証２０と、通知情報記載片となるジェネリック薬品意思表示書３０と、隠蔽ラベル４０とがそれぞれ分離可能に保持されて構成されており、これら健康保険証２０とジェネリック薬品意思表示書３０と隠蔽ラベル４０とから本発明の意思表示カードが構成される。
【００１８】
健康保険証２０は、自己のみが貼着可能な自己貼着性を有する自着のり１５を介して台紙片１０に貼付されている。この自着のり１５は、貼付後の剥離を可能とするとともに、剥離後の貼付面に筆記性を持たせることができるものであり、健康保険証２０の裏面と台紙片１０の健康保険証２０が貼付される領域とにそれぞれ塗布されることにより、健康保険証２０が台紙片１０に貼付されている。これにより、健康保険証２０は、台紙片１０に分離可能に保持されている。また、健康保険証２０の裏面、すなわち台紙片１０との貼付面には、臓器提供の意思表示を記入するための意思表示記入欄２１が設けられている。
【００１９】
ジェネリック薬品意思表示書３０は、健康保険証２０と同一形状を有し、台紙片１０に形成されたミシン目１２及びスリット１３によって台紙片１０に分離可能に区画形成されている。これにより、ジェネリック薬品意思表示書３０は、台紙片１０に分離可能に保持されている。ジェネリック薬品意思表示書３０は、後述するようにその一部が隠蔽ラベル４０に重なっているが、この重なった部分がスリット１３によって台紙片１０から分離可能となっており、その他の部分がミシン目１２によって台紙片１０から分離可能となっている。また、その表面には、ジェネリック薬品を希望する旨を示す通知情報となる意思情報３１が記載されている。
【００２０】
隠蔽ラベル４０は、第１の領域となる健康保険証貼付領域４１と第２の領域となるジェネリック薬品意思表示書貼付領域４２とからなり、裏面に塗布された粘着剤１４によって台紙片１０に剥離可能、再貼付可能に貼付されている。これら健康保険証貼付領域４１とジェネリック薬品意思表示書貼付領域４２は、台紙片１０に形成されたスリット１３に対向する領域をその境界線としている。それにより、ジェネリック薬品意思表示書貼付領域４２は、ジェネリック薬品意思表示書３０の一部に貼付されていることになる。また、健康保険証貼付領域４１は、健康保険証２０及びジェネリック薬品意思表示書３０と同一形状を有している。なお、隠蔽ラベル４０を台紙片１０に剥離可能、再貼付可能に貼付するための粘着剤１４としては、隠蔽ラベル４０を台紙片１０に貼付後、人手で剥離が可能な程度にその貼付力が弱いものを用いればよい。
【００２１】
以下に、上記のように構成されたカード付き台紙１０にて形成される意思表示カードの使用方法について説明する。
【００２２】
図２は、図１に示したカード付き台紙１０からの意思表示カードの分離方法を説明するための図である。
【００２３】
図１に示したカード付き台紙１０は、窓開き封筒に封入されて利用者に送付される。台紙片１０に設けられた宛先情報記載欄１１に、送付先の住所や氏名等からなる宛先情報が印字あるいは記入され、この宛先情報記載欄１１に印字あるいは記入された宛先情報が窓開き封筒の窓部から表出するように、台紙片１０が折り畳まれて窓開き封筒に封入される。
【００２４】
このようにして送付されたカード付き台紙１が送付先に届けられると、送付先において、窓開き封筒からカード付き台紙１を取り出し、健康保険証２０を台紙片１０から剥離するとともに、ジェネリック薬品意思表示書３０を、台紙片１０に形成されたミシン目１２を破断することによって台紙片１０から分離していく（図２（ａ））。なお、ミシン目１２が形成された領域のうち、ジェネリック薬品意思表示書３０を台紙片１０から分離する分離端部の部分のカット部の長さを他の領域のカット部よりも長くしておくことにより、ジェネリック薬品意思表示書３０を台紙片１０から分離する際に摘みやすくすることができる。また、健康保険証２０は、貼付後の剥離が可能な自着のり１５によって台紙片１０に剥離可能に貼付されているため、台紙片１０から人手で剥離することができる。
【００２５】
ジェネリック薬品意思表示書３０の台紙片１０からの分離部分が、隠蔽ラベル４０に貼付された領域に達すると、この領域においては、ジェネリック薬品意思表示書３０は、台紙片１０に形成されたスリット１３によって台紙片１０から分離可能となっているため、スリット１３によって台紙片１０から分離する。
【００２６】
このように台紙片１０から分離したジェネリック薬品意思表示書３０には、隠蔽ラベル４０の一部が貼付されており、この隠蔽ラベル４０は、粘着剤１４によって台紙片１０に剥離可能に貼付されているため、ジェネリック薬品意思表示書３０を台紙片１０から分離した方向にそのまま引っ張っていくことにより、ジェネリック薬品意思表示書３０に隠蔽ラベル４０が貼付された状態のまま隠蔽ラベル４０が台紙片１０から剥離していく（図２（ｂ））。
【００２７】
このようにして、健康保険証２０が台紙片１０から剥離されるとともに、ジェネリック薬品意思表示書３０に隠蔽ラベル４０が貼付された状態のままこれらジェネリック薬品意思表示書３０と隠蔽ラベル４０が台紙片１０から分離されることになる（図２（ｃ））。
【００２８】
図３は、図１に示したカード付き台紙１０から分離された意思表示カードの使用方法を説明するための図である。
【００２９】
上記のようにしてカード付き台紙１０から分離された意思表示カードを使用する場合は、まず、健康保険証２０の裏面に設けられた意思表示記入欄２１に臓器提供の意思表示２１ａを記入する（図３（ａ））。これにより、健康保険証２０の裏面には、臓器提供の意思表示２１ａが記載された状態となる。なお、健康保険証２０の裏面には、健康保険証２０を台紙片１０に貼付しておくための自着のり１５が塗布されているが、この自着のり１５は上述したように筆記性を有するものであるため、健康保険証２０を台紙片１０から剥離した後、意思表示記入欄２１に臓器提供の意思表示２１ａを記入することができる。
【００３０】
次に、健康保険証２０の意思表示記入欄２１が設けられた面が、隠蔽ラベル４０の健康保険証貼付領域４１の粘着剤１４が塗布された面に対向するように健康保険証２０と隠蔽ラベル４０とを重ね合わせ、隠蔽ラベル４０の健康保険証貼付領域４１に健康保険証２０を粘着剤１４によって貼付する（図３（ｂ），（ｃ））。これにより、健康保険証２０の意思表示記入欄２１に記入された臓器提供の意思表示２１ａが隠蔽ラベル４０の健康保険証貼付領域４１によって覆われて隠蔽された状態となる。また、隠蔽ラベル４０の健康保険証貼付領域４１は、上述したように健康保険証２０と同一形状であるため、健康保険証２０の意思表示記入欄２１が設けられた面の全面に隠蔽ラベル４０の健康保険証貼付領域４１が貼付された状態となる。なお、隠蔽ラベル４０を台紙片１０に貼付していた粘着剤１４は、上述したように剥離後の再貼付が可能なものであるため、隠蔽ラベル４０を台紙片１０から剥離した後、この粘着剤１４によって隠蔽ラベル４０の健康保険証貼付領域４１を健康保険証２０に貼付することができる。
【００３１】
その後、隠蔽ラベル４０の健康保険証貼付領域４１とジェネリック薬品意思表示書貼付領域４２との境界線を中心とし、健康保険証２０が内側となるように折り畳む（図３（ｄ））。この際、健康保険証２０と健康保険証貼付領域４１とが同一形状を有し、また、健康保険証２０とジェネリック薬品意思表示書３０とが同一形状を有していることにより、健康保険証２０とジェネリック薬品意思表示書３０とが重なり合ったカード状になる。
【００３２】
このように隠蔽ラベル４０によってジェネリック薬品意思表示書３０と一体化された健康保険証２０を利用する場合は、隠蔽ラベル４０を見開くことにより健康保険証２０を提示することとなり、また、ジェネリック薬品意思表示書３０は折り畳み状態に表出しているため、そのまま提示することになる。なお、隠蔽ラベル４０の健康保険証貼付領域４１とジェネリック薬品意思表示書貼付領域４２との境界線にミシン目を形成しておけば、ジェネリック薬品意思表示書３０が不要の場合にジェネリック薬品意思表示書３０のみを切り離して利用することもできる。また、隠蔽ラベル４０の折り畳み状態においては、健康保険証２０がジェネリック薬品意思表示書３０に対向しているため、ジェネリック薬品意思表示書３０が健康保険証２０のカバーの役割も果たし、健康保険証２０の表面の印字が薄れることが回避される。
【００３３】
その後、意思表示記入欄２１に記入した意思表示２１ａを提示する場合は、隠蔽ラベル４０の健康保険証貼付領域４１から健康保険証２０を剥離する。健康保険証２０は、隠蔽ラベル４０の裏面に塗布された粘着剤１４によって健康保険証貼付領域４１に貼付されているが、粘着剤１４が、上述したように人手で剥離可能なものであるため、健康保険証２０を隠蔽ラベル４０の健康保険証貼付領域４１から剥離することができる。そして、健康保険証２０の意思表示記入欄２１に記入された意思表示２１ａを提示することになる。
【００３４】
上述したように本形態においては、一方の面に臓器提供の意思表示２１ａが記入された健康保険証２０が、意思表示２１ａが覆われるように隠蔽ラベル４０の健康保険証貼付領域４１に剥離可能に貼付されるとともに、意思情報３１が記載されたジェネリック薬品意思表示書３０が隠蔽ラベル４０のジェネリック薬品意思表示書貼付領域４２に貼付されることにより、意思表示２１ａが記入された健康保険証２０と意思情報３１が記載されたジェネリック薬品意思表示書３０とが、意思表示２１ａを隠蔽するための隠蔽ラベル４０によって一体化されたものとなるため、製造工程を煩雑にすることなく、意思表示２１ａが記入された健康保険証２０と意思情報３１が記載されたジェネリック薬品意思表示書３０とを、意思表示２１ａを隠蔽しながら携帯しやすくすることができる。
【００３５】
なお、本形態においては、健康保険証２０を台紙片１０に分離可能に保持する手段として、自己のみが貼着可能な自着のり１５を例に挙げて説明したが、自着のり１５の代わりに、健康保険証２０側から見て、第１粘着剤、第１透明フィルム、第１透明フィルムに剥離可能に密着した第２透明フィルム、第２粘着剤が順に積層された２層フィルムの擬似接着層を用いてもよい。このような２層フィルムの擬似接着構造においては、第１透明フィルムと第２透明フィルムとの間を層間剥離させることにより、健康保険証２０を台紙片１０から分離させることになる。そして、健康保険証２０を台紙片１０から分離した際には、第１の透明フィルムが健康保険証２０と一体となって台紙片１０から分離することとなり、この第１透明フィルムにボールペンやマジック等で意思表示２１ａを記入することになる。
【００３６】
（他の実施の形態）
図４は、本発明のカード付き台紙の他の実施の形態を示す図であり、（ａ）は表面図、（ｂ）は（ａ）に示したＡ−Ａ’断面図、（ｃ）は（ａ）に示した健康保険証１２０の裏面を示す図である。
【００３７】
本形態は図４に示すように、図１に示したものに対して、台紙片１１０にミシン目１６が形成されているとともに、台紙片１１０のミシン目１６に囲まれた領域が健康保険証１２０となっており、それにより、健康保険証１２０が台紙片１１０から分離可能に区画形成されている点が異なるものである。
【００３８】
上記のように構成されたカード付き台紙１０１においてはミシン目１６を破断することにより台紙片１１０から健康保険証１２０を分離するとともに、上述したものと同様に、ジェネリック薬品意思表示書３０及び隠蔽ラベル４０をそれぞれ台紙片１１０から分離して利用することになる。
【００３９】
なお、上述した実施の形態においては、ジェネリック薬品意思表示書３０がその長手方向にて隠蔽ラベル４０に連接するようにジェネリック薬品意思表示書貼付領域４２にその一部が貼付されているが、ジェネリック薬品意思表示書３０がその長手方向に直交する方向にて隠蔽ラベル４０に連接するようにその一部が貼付された構成としてもよい。また、ジェネリック薬品意思表示書３０が台紙片１０，１１０から分離していない状態において、ジェネリック薬品意思表示書３０が隠蔽ラベル４０にその一部が貼付されておらず、ジェネリック薬品意思表示書３０と隠蔽ラベル４０とを台紙片１０，１１０から分離した後、これらを貼付する構成としてもよい。
【００４０】
また、上述した実施の形態においては、隠蔽ラベル４０に健康保険証２０，１２０を貼付するための手段として、隠蔽ラベル４０を台紙片１０，１１０に貼付しておくための粘着剤１４をそのまま用いたが、隠蔽ラベル１４側から見て、第１粘着剤、第１透明フィルム、第１透明フィルムに剥離可能に密着した第２透明フィルム、第２粘着剤を順に積層させた２層フィルムの擬似接着層を用いた構成としてもよい。その場合、台紙片１０，１１０には、隠蔽ラベル４０の健康保険証貼付領域４１が貼付される領域に剥離剤が塗布されており、隠蔽ラベル４０が台紙片１０，１１０から分離する際は、２層フィルムの擬似接着構造が隠蔽ラベル４０から分離しないで台紙片１０，１１０から分離する。そして、健康保険証２０，１２０を第２粘着剤によって隠蔽ラベル４０に貼付し、その後、健康保険証２０，１２０から隠蔽ラベル４０を剥離すると、第１透明フィルムと第２透明フィルムとの間が層間剥離し、健康保険証２０，１２０から隠蔽ラベル４０が剥離することになる。このような構成とすることにより、健康保険証２０，１２０から隠蔽ラベル４０を剥離した場合に、擬似接着構造のうち第２透明フィルムが健康保険証２０，１２０に貼付されたままとなるため、意思表示２１ａの盗み見を検知することができる。
【符号の説明】
【００４１】
１，１０１    カード付き台紙
１０，１１０    台紙片
１１    宛先情報記載欄
１２，１６    ミシン目
１３    スリット
１４    粘着剤
１５    自着のり
２０，１２０    健康保険証
２１    意思表示記入欄
２１ａ    意思表示
３０    ジェネリック薬品意思表示書
３１    意思情報
４０    隠蔽ラベル
４１    健康保険証貼付領域
４２    ジェネリック薬品意思表示書貼付領域
【図１】
0005570408.tif 000002
【図２】
0005570408.tif 000003
【図３】
0005570408.tif 000004
【図４】
0005570408.tif 000005